(57)【要約】【課題】１つの光源を用いて、二方向に配光することができるＬＥＤ照明器具を提供する。【解決手段】１乃至複数のＬＥＤ素子２１を有する光源２と、光源２を収納し、光源２の照射光を外部へ通過させる開口３３および開口４１を有する器具本体１と、光源２の照射光を反射させる第１の配光部材３および第２の配光部材４とを備え、開口３３は、器具本体１の下面に設けられており、光源２は、器具本体１の下面側に向かって光を照射し、開口４１は、器具本体１の上面に設けられ、第１の配光部材３および第２の配光部材４によって反射された光源２の照射光を通過させる。【選択図】図１
2014112504.tif 000002
【特許請求の範囲】
【請求項１】
１乃至複数のＬＥＤ素子を有する光源と、
前記光源を収納し、前記光源の照射光を外部へ通過させる第１の通過部および第２の通過部を有する器具本体と、
前記光源の照射光を反射させる反射部とを備え、
前記第１の通過部は、前記器具本体の一面に設けられており、前記光源は、前記器具本体の一面側に向かって光を照射し、
前記第２の通過部は、前記器具本体の他面に設けられ、前記反射部によって反射された前記光源の照射光を通過させることを特徴とするＬＥＤ照明器具。
【請求項２】
前記器具本体は、前記一面および、当該一面に対向する前記他面および、前記一面と前記他面とを連続させる側面を有する箱状の空間に前記光源を収納しており、
前記反射部は、
前記光源に対して前記一面側に設けられ、前記光源の照射光を前記側面に向かって反射させる第１の反射部と、
前記側面に設けられ、前記第１の反射部によって反射された前記光源の照射光を前記第２の通過部に向かって反射させる第２の反射部とで構成されることを特徴とする請求項１記載のＬＥＤ照明器具。
【請求項３】
前記第１の通過部を通過する前記光源の照射光と、前記第２の通過部を通過する前記光源の照射光との配光比率に基づいて、前記光源の照射範囲内における前記第１の通過部と前記第１の反射部との面積比率を設定することを特徴とする請求項２記載のＬＥＤ照明器具。
【請求項４】
前記第１の通過部を通過する前記光源の照射光と、前記第２の通過部を通過する前記光源の照射光との配光比率に基づいて、前記光源と前記第１の反射部との間隔を設定することを特徴とする請求項２または３記載のＬＥＤ照明器具。
【請求項５】
前記反射部は、前記光源の照射光から青色以外の波長を減衰させて反射させることを特徴とする請求項１乃至４のうちいずれか１項に記載のＬＥＤ照明器具。
【請求項６】
前記反射部は、
前記光源の照射光を反射させる反射面と、
前記反射面の表面に設けられ、青色以外の波長を減衰させるフィルターとで構成されることを特徴とする請求項５記載のＬＥＤ照明器具。
【請求項７】
前記第２の通過部は、光が通過することで青色以外の波長を減衰させるパネルを備えることを特徴とする請求項１乃至６のうちいずれか１項に記載のＬＥＤ照明器具。
【発明の詳細な説明】
【技術分野】
【０００１】
本発明は、ＬＥＤ照明器具に関するものである。
【背景技術】
【０００２】
従来、例えば床面と天井面のように異なる二方向への配光が可能な照明器具がある。図１０に、床面と天井面に配光可能な従来の照明器具の概略構成図を示す。なお、図１０における上下左右方向を上下左右方向、上下左右方向と直交する方向を前後方向と規定して、以下説明する。
【０００３】
この従来の照明器具は、矩形箱状の器具本体１０１に、放電灯からなる光源１０２および、光源１０２を点灯させる点灯装置１０３が収納されることで構成されている。
【０００４】
器具本体１０１は、前後方向を長手方向とし、下面が開口した矩形体状の筐体１１１と、筐体１１１の下面開口を覆う配光部材１０４とで構成され、内部空間に光源１０２，点灯装置１０３を収納する。筐体１１１の上面には、光源１０２を照射光を筐体１１１外に通過させる開口１１２が形成されている。
【０００５】
光源１０２は、前後方向を長手方向とする直管型の放電灯（蛍光灯）で構成されており、ソケット１３１を介して点灯装置１０３に接続されている。点灯装置１０３は、器具本体１０１の上面内側に固定されており、下面に取り付けられたソケット１３１を介して光源１０２に点灯電力を供給することで光源１０２を点灯させる。
【０００６】
配光部材１０４は、筐体１１１の内側面に沿って設けられる一対の反射板１４１と、前後方向を厚み方向として一対の反射板１４１同士を連結する複数の配光板１４２とで構成される。そして、配光板１４２間に形成される開口１４３を介して、光源１０２の照射光が床面（下方）に向かって照射される。また、配光部材１０４は、ルーバとして機能するものであり、反射板１４１，配光板１４２によって光源１０２の下方向への照射光が配光制御される。この配光部材１０４は、固定金具１０５によって器具本体１０１に固定される。
【０００７】
また、筐体１１１は、上面に開口１１２が形成されており、この開口１１２を介して、光源１０２の照射光が天井面（上方）に向かって照射される。
【０００８】
このように、この従来の照明器具は、光源１０２が放電灯で構成されているため、あらゆる方向へ光を照射する特性を有している。したがって、光源１０２の照射光は、配光部材１０４に形成された開口１４３および、筐体１１１に形成された開口１１２を介して、床面および天井面に向かって照射することができる。
【０００９】
ところで、近年、省エネルギー化の観点から、消費電力が小さく長寿命であるＬＥＤを光源に用いる照明器具が多くなってきている。しかし、光源としてＬＥＤを用いた場合、基板上にＬＥＤが実装される構成上、照射光は一方向のみとなる。また、ＬＥＤの照射光は指向性が高いため、さらに照射方向（照射範囲）が限定される。
【００１０】
そこで、ＬＥＤからなる光源を２つ備え、一方が床面に光を照射し、他方が天井面に光を照射するＬＥＤ照明器具がある（例えば、特許文献１参照）。
【先行技術文献】
【特許文献】
【００１１】
【特許文献１】特開２０１０−１９８８５３号公報
【発明の概要】
【発明が解決しようとする課題】
【００１２】
しかし、特許文献１のＬＥＤ照明器具は、異なる二方向に配光するために光源を２つ備える必要があり、コストが高くなるという問題があった。
【００１３】
本発明は、上記事由に鑑みてなされたものであり、その目的は、１つの光源を用いて、二方向に配光することができるＬＥＤ照明器具を提供することにある。
【課題を解決するための手段】
【００１４】
本発明のＬＥＤ照明器具は、１乃至複数のＬＥＤ素子を有する光源と、前記光源を収納し、前記光源の照射光を外部へ通過させる第１の通過部および第２の通過部を有する器具本体と、前記光源の照射光を反射させる反射部とを備え、前記第１の通過部は、前記器具本体の一面に設けられており、前記光源は、前記器具本体の一面側に向かって光を照射し、前記第２の通過部は、前記器具本体の他面に設けられ、前記反射部によって反射された前記光源の照射光を通過させることを特徴とする。
【００１５】
このＬＥＤ照明器具において、前記器具本体は、前記一面および、当該一面に対向する前記他面および、前記一面と前記他面とを連続させる側面を有する箱状の空間に前記光源を収納しており、前記反射部は、前記光源に対して前記一面側に設けられ、前記光源の照射光を前記側面に向かって反射させる第１の反射部と、前記側面に設けられ、前記第１の反射部によって反射された前記光源の照射光を前記第２の通過部に向かって反射させる第２の反射部とで構成されることが好ましい。
【００１６】
このＬＥＤ照明器具において、前記第１の通過部を通過する前記光源の照射光と、前記第２の通過部を通過する前記光源の照射光との配光比率に基づいて、前記光源の照射範囲内における前記第１の通過部と前記第１の反射部との面積比率を設定することが好ましい。
【００１７】
このＬＥＤ照明器具において、前記第１の通過部を通過する前記光源の照射光と、前記第２の通過部を通過する前記光源の照射光との配光比率に基づいて、前記光源と前記第１の反射部との間隔を設定することが好ましい。
【００１８】
このＬＥＤ照明器具において、前記反射部は、前記光源の照射光から青色以外の波長を減衰させて反射させることが好ましい。
【００１９】
このＬＥＤ照明器具において、前記反射部は、前記光源の照射光を反射させる反射面と、前記反射面の表面に設けられ、青色以外の波長を減衰させるフィルターとで構成されることが好ましい。
【００２０】
このＬＥＤ照明器具において、前記第２の通過部は、光が通過することで青色以外の波長を減衰させるパネルを備えることが好ましい。
【発明の効果】
【００２１】
以上説明したように、本発明では、１つの光源を用いて、二方向に配光することができるという効果がある。
【図面の簡単な説明】
【００２２】
【図１】本発明の実施形態１のＬＥＤ照明器具の断面図である。
【図２】同上の分解斜視図である。
【図３】同上の分解斜視図である。
【図４】同上の外観斜視図である。
【図５】ＬＥＤ素子の照射光の色むらを示す概略図である。
【図６】床面への照射光と天井面への照射光との色むらを示す概略図である。
【図７】実施形態２のＬＥＤ照明器具の断面図である。
【図８】同上の一部を拡大した分解斜視図である。
【図９】（ａ）〜（ｄ）第４の面に対する青色フィルムの面積，場所を示す概略図である。
【図１０】従来の照明器具の断面図である。
【発明を実施するための形態】
【００２３】
以下、本発明の実施の形態を図面に基づいて説明する。
【００２４】
（実施形態１）
本実施形態のＬＥＤ照明器具について、図１〜図４を用いて説明する。図１は、ＬＥＤ照明器具の断面図であり、図２，図３は、ＬＥＤ照明器具の分解斜視図であり、図４は、ＬＥＤ照明器具の外観斜視図である。なお、図１における上下左右方向を上下左右方向と規定し、上下左右方向と直交する方向を前後方向と規定して、以下説明する。
【００２５】
本実施形態のＬＥＤ照明器具は、矩形箱状の器具本体１に、１つの光源２が収納されることで構成されている。そして、このＬＥＤ照明器具は、上方にある天井面からワイヤーＷで吊り下げられ、光源２の照射光を下方にある床面と上方にある天井面との両方に配光するものである。
【００２６】
以下に、本実施形態のＬＥＤ照明器具の構成について説明する。
【００２７】
器具本体１は、筐体１１，エンドカバー１２，第１の配光部材３，第２の配光部材４で構成される。筐体１１は、器具本体１の外郭を構成しており、前後方向を長手方向として、下面，前面，後面が開口した断面コ字状に形成されている。エンドカバー１２は、器具本体１の外郭を構成しており、筐体１１の前面および後面の開口を閉塞するように取り付けられる。第１の配光部材３は、器具本体１の下面を構成しており、筐体１１の下面の開口を覆うように取り付けられる。また、第２の配光部材４は、前後方向を長手方向として、下面が開口した断面コ字状に形成されており、筐体１１の内側に設けられる。そして、第１，第２の配光部材３，４で内部に矩形箱状の空間を形成し、この空間に光源２が収納される。
【００２８】
光源２は、前後方向を長手方向とする実装基板２２に複数のＬＥＤ素子２１が前後方向に並んで実装されており、この実装基板２２がケース２３に収納されることで構成されている。ケース２３は、前後方向を長手方向とする矩形箱状に形成されており、透光性を有している。そして、下面に複数のＬＥＤ素子２１が実装された実装基板２２が、ケース２３内の上面に固定され、図示しない点灯装置からＬＥＤ素子２１に点灯電力が供給されることで、各ＬＥＤ素子２１が点灯する。ＬＥＤ素子２１は、下方に向かって所定の照射角度θ１で光を照射する。
【００２９】
そして、この光源２は、器具本体１の下面を構成する第１の配光部材３の上方に取り付けられる。
【００３０】
第１の配光部材３は、筐体１１の下面開口を覆うように設けられる。なお、光源２と第１の配光部材３の前後方向の寸法は、略同じに形成される。第１の配光部材３は、筐体１１内の左面に沿って設けられる反射板３１ａと、筐体１１の右面に沿って設けられる反射板３１ｂと、反射板３１ａ，３１ｂを連結する複数の配光板３２とで構成される。なお、反射板３１ａと反射板３１ｂとは、左右対称の同一構成であるので、反射板３１ａのみについて説明する。また、反射板３１ａ，３１ｂを区別しない場合は、反射板３１と称す。
【００３１】
反射板３１ａは、光を反射させる板状の反射材料を折り曲げ加工することで形成され、第１〜第５の面３１１〜３１５で構成されている。第１の面３１１は、左右方向を厚み方向とし、筐体１１内の左面における下端近傍に対向している。第２の面３１２は、第１の面３１１の下端から右方向に向かって折り曲げられており、上下方向を厚み方向とする。第３の面３１３は、第２の面３１２の右端から右上方向、すなわちＬＥＤ素子２１に向かって折り曲げられている。第４の面３１４（第１の反射部）は、第３の面３１３の上端から左方向に向かって折り曲げられており、上下方向を厚み方向とする。第５の面３１５は、第４の面３１４の左端から左上方向、すなわち筐体１１の左面に向かって折り曲げられている。
【００３２】
また、反射板３１ａの第３の面３１３と反射板３１ｂの第３の面３１３とは、左右方向に離間しており、互いの第３の面３１３を連結した配光板３２が設けられている。配光板３２は、前後方向を厚み方向とする台形状の板材であり、前後方向に所定間隔で、複数設けられている。したがって、配光板３２間には、上下方向に連通する開口３３（第１の通過部）が形成されている。なお、配光板３２の上辺の長さ（反射板３１ａの第４の面３１４の右端と反射板３１ｂの第４の面３１４の左端との間隔）はＬ１に設定されており、以降、第１の配光部材３の開口３３の開口幅Ｌ１と称す。
【００３３】
そして、上記構成の第１の配光部材３の上部に、光源固定金具２４を用いて光源２が取り付けられる。光源固定金具２４は、矩形状の板材を折り曲げ加工することで形成されており、光源２を保持する光源保持部２４１と、第１の配光部材３に固定される固定部２４２ａ，２４２ｂとで構成されている。
【００３４】
光源保持部２４１は、光源２のケース２３の上面，左面，右面と当接するように折り曲げられた断面コ字状に形成されている。そして、光源保持部２４１の上面に形成された挿通孔（図示なし）を介して、固定ネジ２５がケース２３の上面に形成されたネジ穴（図示なし）に締結されることで、光源２に光源保持部２４１が取り付けられる。なお、光源保持部２４１は、光源２の前端側と後端側との二箇所に設けられる。
【００３５】
固定部２４２ａは、光源保持部２４１の左面の下端から左方向に向かって折り曲げられており、反射板３１ａの第４の面３１４の上面に固定ネジ２６で固定されている。なお、固定部２４２ｂは、固定部２４２ａと左右対称の同一構成であるので、説明は省略する。
【００３６】
なお、光源保持部２４１の左面，右面の上下方向の寸法は、光源２のケース２３の上下方向の寸法よりも長く形成されており、ケース２３の下面は、反射板３１の第４の面３１４よりも上方に位置する。なお、光源２のケース２３の下面と反射板３１の第４の面３１４との間隔は、Ｌ２に設定されている。
【００３７】
そして、光源２が取り付けられた第１の配光部材３は、第２の配光部材４，配光部材固定金具４２を介して筐体１１に取り付けられる。
【００３８】
第２の配光部材４は、光を反射させる反射材料で、下面が開口した矩形箱状に形成されている。また、第２の配光部材４の上面には、２つの開口４１が形成されている。開口４１は、前後方向を長手方向とする矩形状であり、前後方向に並んで形成されている。
【００３９】
そして、第１の配光部材３は、第２の配光部材４の下面開口を覆うように、配光部材固定金具４２を用いて第２の配光部材４に取り付けられる。配光部材固定金具４２は、矩形状の板材を折り曲げ加工することで形成されており、第２の配光部材４に固定される第１の固定部４２１と、第１の配光部材３に固定される第２の固定部４２２ａ，４２２ｂとで構成されている。
【００４０】
第１の固定部４２１は、下面が開口した断面コ字状に形成されており、上面が第２の配光部材４の上面に固定されている。
【００４１】
第２の固定部４２２ａは、第１の固定部４２１の左片の下端から左下方向に向かって折り曲げられている。また、反射板３１ａの第４の面３１４には、第２の固定部４２２ａに固定される固定片３４が設けられている。固定片３４は、反射板３１ａの第４の面３１４上面に設けられる第１の片３４１と、第１の片３４１の右端から右上方向に折り曲げられ、第２の固定部４２２ａに対向する第２の片３４２とで構成されている。そして、第２の固定部４２２ａと第２の片３４２とが固定ネジ４３を用いて固定されることで、第１の配
光部材３が第２の配光部材４に取り付けられる。なお、第１の固定部４２１の右片の下端から右下方向に向かって折り曲げられた第２の固定部４２２ｂは、第２の固定部４２２ａと左右対称の同一構成であるので、説明は省略する。
【００４２】
上記構成の配光部材固定金具４２は、第１，第２の配光部材３，４の前端近傍と、後端近傍との二箇所に設けられる。
【００４３】
そして、第１の配光部材３が取り付けられた第２の配光部材４が、筐体１１内の上面に取り付けられる。筐体１１の上面には挿通孔１１ａが形成され、第２の配光部材４の上面には、挿通孔１１ａに対向してネジ穴（図示なし）が形成されている。挿通孔１１ａを挿通した固定ネジ１４が、第２の配光部材４のネジ穴に締結されることで、筐体１１に第２の配光部材４が固定される。また、筐体１１の上面と第２の配光部材４の上面との間には、矩形板状で透光性を有するプリズムパネル５が介在しており、筐体１１の開口１３と第２の配光部材４の開口４１とは、プリズムパネル５を介して対向している。なお、開口１３，４１およびプリズムパネル５が、本願発明の第２の通過部に相当する。
【００４４】
そして、第１，第２の配光部材３，４の前端，後端には、エンドカバー１２が設けられる。各エンドカバー１２の上面に設けた溝部１２ａが、第２の配光部材４の前端および後端において下方に突出して設けた舌片４４に嵌め込まれる。そして、第２の配光部材４の前端および後端において、第２の配光部材４の左右の両側面には、舌片４４から延設された挟持片４５が延設されており、エンドカバー１２は、左右の挟持片４５間に装着される。
【００４５】
上記構成のＬＥＤ照明器具は、天井面から２本のワイヤーＷで吊り下げられ、電力供給ケーブルＣを介して電力供給されることで、光源２を点灯させる。
【００４６】
次に、本実施形態のＬＥＤ照明器具が有する光源２の配光について説明する。光源２に設けられるＬＥＤ素子２１は、実装基板２２の下面に実装されており、透光性のケース２３を介して下方向に向かって所定の照射角度θ１で光を照射する。光源２の下側には第１の配光部材３が設けられており、第１の配光部材３の開口３３を介して下方にある床面に光が照射される。ここで、光源２の照射範囲内に開口３３が含まれるように、開口幅Ｌ１が設定されている。すなわち、反射板３１ａの第４の面３１４の右端近傍および、反射板３１ｂの第４の面３１４の左端近傍は、光源２の照射範囲内に含まれることとなる。したがって、第４の面３１４によって光源２の照射光の一部が遮られ、開口３３を通過する照射光の照射角度は、θ２（＜θ１）となる。
【００４７】
そして、反射板３１は、反射材料で形成されており、光源２の照射光の一部は、第４の面３１４によって、第２の配光部材４の側面（左面，右面）に向かって反射される。また、第２の配光部材４も反射材料で形成されており、第４の面３１４から入射した光源２の照射光を、開口４１に向かって反射させる。開口４１は、透光性を有するプリズムパネル５を介して開口１３に対向しており、第２の配光部材４の側面で反射された光源２の照射光は、開口４１、プリズムパネル５、開口１３を通過して上方の天井面に照射される。
【００４８】
このように、本実施形態では、光源２の照射光は、開口３３を直接通過して床面に照射される光と、第１の配光部材３の第４の面３１４，第２の配光部材４によって反射され開口１３，４１，プリズムパネル５を通過して天井面に照射される光とに配光される。すなわち、下方へ向かって照射する１つの光源２を用いて、床面と天井面との二方向に配光することができるので、従来のように光源を複数設ける必要がなく、コストを削減することができる。
【００４９】
また、第１の配光部材３の開口３３の開口幅Ｌ１は、床面と天井面との配光比率に基づいて設定される。床面への配光比率を高める場合には、開口幅Ｌ１を大きく設定して、光源２の照射範囲内における開口３３の面積比率を大きくすることで、開口３３を通過する光源２の照射光が多くなる。一方、天井面への配光比率を高める場合には、開口幅Ｌ１を小さく設定して、光源２の照射範囲内における第４の面３１４の面積比率を大きくすることで、第４の面３１４，第２の配光部材４によって反射され開口１３，４１，プリズムパネル５を通過する光源２の照射光が多くなる。
【００５０】
また、光源２と第４の面３１４との間隔Ｌ２も、床面と天井面との配光比率に基づいて設定される。床面への配光比率を高める場合には、間隔Ｌ２を短く設定して、光源２の照射範囲内における開口３３の面積比率を大きくすることで、開口３３を通過する光源２の照射光が多くなる。一方、天井面への配光比率を高める場合には、間隔Ｌ２を長く設定して、光源２の照射範囲内における第４の面３１４の面積比率を大きくすることで、第４の面３１４，第２の配光部材４によって反射され開口１３，４１，プリズムパネル５を通過する光源２の照射光が多くなる。 
【００５１】
したがって、開口３３の開口幅Ｌ１および、光源２と第４の面３１４との間隔Ｌ２を調整することで、床面と天井面との配光比率を調整することができる。
【００５２】
なお、本実施形態では、第２の配光部材４を反射材料で形成し、光源２の照射光を反射させているが、第２の配光部材４を省略し、筐体１１の内側面を反射材料で形成することでも、上記同様の効果を得ることができる。
【００５３】
（実施形態２）
本実施形態のＬＥＤ照明器具は、図７に示すように、反射板３１の第４の面３１４に青色フィルム３５が設けられる。なお、他の構成は、実施形態１と同様の構成であり、実施形態１と同一構成には、同一符号を付して説明を省略する。
【００５４】
光源２を構成するＬＥＤ素子２１は、青色に発光する青色ＬＥＤと、青色ＬＥＤを覆い、黄色に蛍光する黄色蛍光体とで構成され、白色光を照射するものである。青色ＬＥＤから発せられる青色光は、黄色蛍光体に入射する。そして、黄色蛍光体は、入射した光の一部を吸収して黄色に蛍光する。また、黄色蛍光体に吸収されなかった光は、黄色蛍光体を透過して青色光のまま出射される。すなわち、青色ＬＥＤを覆う黄色蛍光体から青色光と黄色光とが出射され、青色光と黄色光との混色により白色光となる。
【００５５】
しかし、図５に示すように、ＬＥＤ素子２１の中央部からは白色光Ｌｗが照射されるのに対し、ＬＥＤ素子２１の周辺部からは黄色光Ｌｙ（黄色の光または、黄色がかった白色の光を含む）が照射されるという色むらが発生する。これは、青色ＬＥＤの指向性が高いことや、青色ＬＥＤと黄色蛍光体との位置関係によって黄色蛍光体を通過する光の光路長がＬＥＤ素子２１の中央部と周辺部とで異なることで、色むらが発生する。
【００５６】
実施形態１で説明したように、光源２の照射光が二方向に配光されることで、床面および天井面に照射される（図１参照）。具体的には、ＬＥＤ素子２１の中央部からの照射光（≒白色光Ｌｗ）は、開口３３（第１の通過部）を直接通過して床面に照射される。また、ＬＥＤ素子２１の周辺部からの照射光（≒黄色光Ｌｙ）は、第１の配光部材３の第４の面３１４（第１の反射部）および第２の配光部材４（第２の反射部）によって反射され、開口１３，開口４１，プリズムパネル５（第２の通過部）を通過して天井面に照射される。したがって、図６に示すように、床面への照射が白色光Ｌｗであるのに対し、天井面への照射が黄色光Ｌｙとなる。
【００５７】
そこで、本実施形態では、図７に示すように、反射板３１（反射板３１ａ，３１ｂ）が青色フィルム３５（フィルター）を備えることで、天井面への照射光の色を変化させ、床面への照射光の色と同じにする。図８に示すように、青色フィルム３５は、光源２の照射光を反射する第４の面３１４（反射面）の上面全体に設けられる。青色フィルム３５は、青色の透光性材料で形成されており、通過する光の青色以外の波長を減衰させる特性を有する。
【００５８】
第４の面３１４の表面に青色フィルム３５が設けられるので、第４の面３１４が光源２の照射光を反射する直前および直後に、光源２の照射光が青色フィルム３５を通過することとなる。上述したように、ＬＥＤ素子２１の周辺部からの照射光の色は黄色であり、この照射光が青色フィルム３５に入射される。そして、青色フィルム３５は、黄色の照射光から青色以外の波長を減衰させる。すなわち、青色フィルム３５は、青色の波長を減衰させず、黄色の波長を減衰させる。青色と黄色とは補色関係にあるので、青色フィルム３５を通過後の光の色が白色へと変化する。そして、青色フィルム３５を通過後の白色の照射光は、第２の配光部材４によって再度反射され、開口１３，開口４１，プリズムパネル５を通過して天井面に照射される。
【００５９】
このように、本実施形態では、ＬＥＤ素子２１の周辺部からの照射光を反射する第４の面３１４の表面に青色フィルム３５を設けることで、天井面への照射光を白色にすることができる。すなわち、反射板３１に青色フィルム３５を設けるという簡易な構成で、床面への照射光の色と天井面への照射光の色とを同じにすることができる。
【００６０】
また、青色フィルム３５は、上下方向を厚み方向とする第４の面３１４の上面に設けられるため、ＬＥＤ照明器具の外部から青色フィルム３５が見えない。したがって、ＬＥＤ照明器具の意匠を損ねることがない。
【００６１】
また、図９（ａ）〜（ｄ）に示すように、第４の面３１４に対する青色フィルム３５の面積，場所を調整することで、天井面への照射光の色を調整することができる。図９（ａ）〜（ｄ）は、反射板３１ａの第４の面３１４に対する青色フィルム３５の面積，場所を示す概略図である。なお、図９（ａ）〜（ｄ）における上下方向は、図７における左右方向である。なお、反射板３１ｂの第４の面３１４に設けられる青色フィルム３５は、反射板３１ａの第４の面３１４に設けられる青色フィルム３５と左右対称となる。
【００６２】
図９（ａ）は、第４の面３１４の全面にわたって青色フィルム３５が設けられる。したがって、天井面への照射光の全てが、青色フィルム３５を通過した光となる。
【００６３】
また、図９（ｂ）は、反射板３１ａの第４の面３１４の右側、すなわち第４の面３１４上におけるＬＥＤ素子２１に近い位置に青色フィルム３５が設けられる。一方、図９（ｃ）は、反射板３１ａの第４の面３１４の左側、すなわち第４の面３１４上におけるＬＥＤ素子２１から離れた位置に青色フィルム３５が設けられる。また、図９（ｄ）は、反射板３１ａの第４の面３１４の左右方向における中央に青色フィルム３５が設けられる。図９（ｂ）〜（ｄ）に示すように、第４の面３１４に対して青色フィルム３５を一部分だけ設けることで、天井面への照射光のうち、一部が青色フィルム３５を通過した光となる。すなわち、天井面への照射光は、青色フィルム３５を通過した光と青色フィルム３５を通過していない光とが混ざり合った光であるので、青色フィルム３５の面積を調整することで、天井面への照射光の色を調整することができる。
【００６４】
さらに、図９（ｂ）〜（ｄ）に示すように、第４の面３１４上における青色フィルム３５を設ける位置を調整することで、天井面への照射光の色を調整することができる。例えば、より黄色の波長が強い光のみを青色フィルム３５に通過させ、黄色の波長が弱い光を青色フィルム３５に通過させないといったことも可能となる。
【００６５】
また、青色フィルム３５の濃度、すなわち青色以外の波長の減衰量を調整することでも、天井面への照射光の色を調整することができる。
【００６６】
なお、本実施形態では、青色以外の波長を減衰させるフィルターとして青色フィルム３５を用いているが、これに限定するものではない。例えば、フィルターとして青色フィルム３５の代わりに、第４の面３１４の上面に青色テープを貼り付ける構成や、第４の面３１４の表面を青色に塗装する構成でもよい。また、第４の面３１４を、入射光から青色以外の波長を減衰させて反射させる材料で構成してもよい。
【００６７】
また、フィルター（青色フィルム３５など）を設ける位置は、第４の面３１４の上面に限定するものではなく、天井面への照射光の光路内に設けられていればよい。したがって、第２の配光部材４の内側面にフィルター（青色フィルム，青色テープ，青色の塗装など）を設けることでも、床面への照射光の色と天井面への照射光の色とを同じにすることができる。また、第２の配光部材４の内側面を、入射光から青色以外の波長を減衰させて反射させる材料で構成してもよい。
【００６８】
また、青色以外の波長を減衰させるプリズムパネル５を用いてもよい。例えば、プリズムパネル５の上面，下面の少なくとも一方に、青色フィルムや青色テープを設ける。または、プリズムパネル５の上面，下面の少なくとも一方を、塗装やシルク印刷によって淡い青色に着色する。または、淡い青色の樹脂でプリズムパネル５を成形する。上記構成のプリズムパネル５を用いることによって、ＬＥＤ素子２１の周辺部から照射された光が、第４の面３１４，第２の反射部４で反射され、プリズムパネル５を通過するときに、青色以外の波長が減衰される。これにより、プリズムパネル５を通過後の光の色が白色となり、床面への照射光の色と天井面への照射光の色とを同じにすることができる。
【符号の説明】
【００６９】
１  器具本体
２  光源
３  第１の配光部材
４  第２の配光部材（第２の反射部）
５  プリズムパネル（第２の通過部）
１１  筐体
１２  エンドパネル
１３  開口（第２の通過部）
２１  ＬＥＤ素子
３１ａ，３１ｂ  反射板
３２  配光板
３３  開口（第１の通過部）
３１４  第４の面（第１の反射部）
４１  開口（第２の通過部）
【図１】
2014112504.tif 000003
【図２】
2014112504.tif 000004
【図３】
2014112504.tif 000005
【図４】
2014112504.tif 000006
【図５】
2014112504.tif 000007
【図６】
2014112504.tif 000008
【図７】
2014112504.tif 000009
【図８】
2014112504.tif 000010
【図９】
2014112504.tif 000011
【図１０】
2014112504.tif 000012